(57)【要約】【課題】排泄物収納袋を便器上に容易且つ確実に取り付けることができるようにした簡易トイレを提供する。【解決手段】便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）、上縁構成部材（２５）、便器受け（７）又は椅子（１）の座部（３）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ。【選択図】図１
2005118178.tif 000002
【特許請求の範囲】
【請求項１】
便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ。
【請求項２】
便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）には該便器とは別体の上縁構成部材（２５）を嵌着し、該上縁構成部材には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ。
【請求項３】
便器（９）上に排泄物収納袋（１５）を取り外し自在に配設した簡易トイレにおいて、排泄物収納袋の外面には該排泄物収納袋を結着するための結着用紐（１７）を備えさせ、該便器を支持する便器受け（７）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ。
【請求項４】
便器（９）上に排泄物収納袋（１５）を取り外し自在に配設した簡易トイレにおいて、排泄物収納袋の外面には該排泄物収納袋を結着するための結着用紐（１７）を備えさせ、該便器を取り付けた椅子（１）の座部（３）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ。
【請求項５】
前記各押込み係止孔は、前記便器の上縁（９ａ）、前記上縁構成部材（２５）、前記便器受け（７）又は前記椅子の座部（３）に透孔（３１）を形成し、該透孔の周縁を上方に突出させて上向き突縁（３３）を形成し、該上向き突縁には該上向き突縁を内外に貫く複数のスリット（３５）を該上向き突縁の上縁より上下方向に形成し、各スリットの下縁を該透孔から外方に延設してスリット延長部（３７）を形成してなることを特徴とする請求項１〜４のいずれかに記載の簡易トイレ。
【請求項６】
前記各押込み係止孔は、前記便器の上縁（９ａ）、前記上縁構成部材（２５）、前記便器受け（７）又は前記椅子の座部（３）に透孔（４１）を形成し、該透孔の周縁を下方に突出させて下向き突縁（４３）を形成し、該下向き突縁には該下向き突縁を内外に貫く複数のスリット（４５）を該下向き突縁の上縁（４３ａ）より上下方向に形成し、各スリット内には該スリットの下部（４５ａ）より上方に向けて弾性片（４７）を突設し、該弾性片は該弾性片の両側部（４７ａ）（４７ｂ）と該スリットの対応側部（４５ｂ）（４５ｃ）との間に一対の上下方向の隙間（４９ａ）（４９ｂ）が生ずるように配設し、該透孔の周縁には各スリットにおける一対の隙間のうちの一方の隙間（４９ａ）に連なる延長透孔部（５１）を形成してなることを特徴とする請求項１〜４のいずれかに記載の簡易トイレ。
【請求項７】
前記下向き突縁（４３）の内側には中央を内方に略円弧状に膨出させた複数の案内部（５３）を上下方向に形成したことを特徴とする請求項６に記載の簡易トイレ。
【発明の詳細な説明】
【技術分野】
【０００１】
本発明は、簡易トイレに関するものであり、例えば、建物内に設けられた通常のトイレ設備まで歩行することが困難又は不可能な要介護者のために、要介護者のベッドの近傍に置かれる簡易トイレに係るものである。なお、本発明の簡易トイレは、高齢の要介護者のみならず、病者、負傷者、幼児等にも使用される。
【背景技術】
【０００２】
簡易トイレは排泄物の除去手段を備えていないため、簡易トイレ使用者が便器内に直接排便、排尿した場合には、その都度、介護者等が便器をトイレ設備等に運搬し、該便器から排泄物を除去すると共に該便器を洗浄しなければならない。
【０００３】
しかるに、このような作業は、介護者等に過酷な労働を強いることになるのみならず、このことが簡易トイレ使用者にも大きな精神的な負担となるおそれがある。
【０００４】
そこで、便器上に排泄物収納袋を取り外し自在に配設し、簡易トイレ使用者が該排泄物収納袋内に排便、排尿し、介護者等が該排泄物収納袋を排泄物と共に処理するようにした簡易トイレが既に提案されている。
【０００５】
実開平６−３６４９４号公報は、便器に排泄物収納袋を取り付けた状態で排便、排尿するようにした簡易トイレを開示している。同公報に示す簡易トイレにおいては、排泄物収納袋の開口縁を便座に被せることにより該排泄物収納袋を便器に取り付けるようにしている。
【０００６】
【特許文献１】実開平６−３６４９４号公報
【発明の開示】
【発明が解決しようとする課題】
【０００７】
実開平６−３６４９４号公報に示す簡易トイレは、介護者、簡易トイレ使用者等の上述の負担を軽減するという点においては好ましいものであるが、排泄物収納袋の開口縁を便座に被せることにより該排泄物収納袋を便器に取り付けるようにしているに過ぎないため、次のような問題が生ずる。即ち、排泄物収納袋を便器に確実に取り付けることが困難であり、簡易トイレ使用者が便座に座った時又は用便中に便座上にて動いた時に、排泄物収納袋の開口縁が便座からずれ、排泄物収納袋が便座から落下するおそれがある。
【０００８】
本発明は、従来の簡易トイレにおける上述の如き問題を解決し、排泄物収納袋を便器上に容易且つ確実に取り付けることができるようにした簡易トイレを提供しようとしてなされたものである。
【課題を解決するための手段】
【０００９】
上記課題を解決するために、本発明は下記の簡易トイレを提供する。
【００１０】
１．便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ（請求項１）。
【００１１】
２．便器（９）上に排泄物収納袋（１５）を取り外し自在に配設した簡易トイレにおいて、排泄物収納袋の外面には該排泄物収納袋を結着するための結着用紐（１７）を備えさせ、該便器の上縁（９ａ）には該便器とは別体の上縁構成部材（２５）を嵌着し、該上縁構成部材には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ（請求項２）。
【００１２】
３．便器（９）上に排泄物収納袋（１５）を取り外し自在に配設した簡易トイレにおいて、排泄物収納袋の外面には該排泄物収納袋を結着するための結着用紐（１７）を備えさせ、該便器を支持する便器受け（７）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ（請求項３）。
【００１３】
４．便器（９）上に排泄物収納袋（１５）を取り外し自在に配設した簡易トイレにおいて、排泄物収納袋の外面には該排泄物収納袋を結着するための結着用紐（１７）を備えさせ、該便器を取り付けた椅子（１）の座部（３）には排泄物収納袋の一部（２３）を押し込んで係止するための押込み係止孔（２１）を複数個形成し、該押込み係止孔に排泄物収納袋の一部をそれぞれ押し込んで係止することにより該排泄物収納袋を便器上に取り付けるようにしたことを特徴とする簡易トイレ（請求項４）。
【００１４】
５．前記各押込み係止孔は、前記便器の上縁（９ａ）、前記上縁構成部材（２５）、前記便器受け（７）又は前記椅子の座部（３）に透孔（３１）を形成し、該透孔の周縁を上方に突出させて上向き突縁（３３）を形成し、該上向き突縁には該上向き突縁を内外に貫く複数のスリット（３５）を該上向き突縁の上縁より上下方向に形成し、各スリットの下縁を該透孔から外方に延設してスリット延長部（３７）を形成してなるものとする（請求項５）。
【００１５】
６．前記各押込み係止孔は、前記便器の上縁（９ａ）、前記上縁構成部材（２５）、前記便器受け（７）又は前記椅子の座部（３）に透孔（４１）を形成し、該透孔の周縁を下方に突出させて下向き突縁（４３）を形成し、該下向き突縁には該下向き突縁を内外に貫く複数のスリット（４５）を該下向き突縁の上縁（４３ａ）より上下方向に形成し、各スリット内には該スリットの下部（４５ａ）より上方に向けて弾性片（４７）を突設し、該弾性片は該弾性片の両側部（４７ａ）（４７ｂ）と該スリットの対応側部（４５ｂ）（４５ｃ）との間に一対の上下方向の隙間（４９ａ）（４９ｂ）が生ずるように配設し、該透孔の周縁には各スリットにおける一対の隙間のうちの一方の隙間（４９ａ）に連なる延長透孔部（５１）を形成してなるものとする（請求項６）。
【００１６】
７．前記下向き突縁（４３）の内側には中央を内方に略円弧状に膨出させた複数の案内部（５３）を上下方向に形成する（請求項７）。
【００１７】
［発明の作用］
［請求項１の発明］
排泄物収納袋を便器上に取り付ける際には、複数個の押込み係止孔に排泄物収納袋の一部をそれぞれ押し込んで係止すればよい。このとき、排泄物収納袋の結着用紐の端部を便器より外部前方に垂れ下げておく。このように排泄物収納袋を便器上に取り付けた状態で簡易トイレ使用者は該排泄物収納袋内に排便、排尿する。しかる後、介護者等は結着用紐を手前方向に引くことにより排泄物収納袋を閉じ、該排泄物収納袋を便器から引き上げる。各押込み係止孔には排泄物収納袋の一部を押し込んで係止したに過ぎないため、排泄物収納袋を便器から離す方向に引いたときには、排泄物収納袋は各押込み係止孔から容易に外れる。排泄物収納袋を便器から引き上げた後、結着用紐により排泄物収納袋の開口部を結着して密封した状態で、該排泄物収納袋を廃棄処分する。
【００１８】
［請求項２の発明］
請求項１の発明においては押込み係止孔を便器の上縁に直接形成しているのに対し、請求項２の発明においては押込み係止孔を便器の上縁に嵌着した上縁構成部材に形成している。その他の点においては、請求項２の発明は、請求項１の発明と同じであり、請求項１の発明と同様の作用を有する。
【００１９】
［請求項３の発明］
請求項３の発明においては押込み係止孔を便器を支持する便器受けに形成している。その他の点においては、請求項３の発明は、請求項１の発明と同じであり、請求項１の発明と同様の作用を有する。
【００２０】
［請求項４の発明］
請求項４の発明においては押込み係止孔を便器を取り付けた椅子の座部に形成している。その他の点においては、請求項４の発明は、請求項１の発明と同じであり、請求項１の発明と同様の作用を有する。
【００２１】
［請求項５の発明］
各押込み係止孔に排泄物収納袋の一部を押し込む際には、排泄物収納袋の当該一部（２３）を上向き突縁上に位置させた状態で指先により当該一部を上から該上向き突縁内に押し込めばよい。しかるときは、排泄物収納袋の当該一部における中央部（２３ａ）は該上向き突縁より下方に突出し、当該一部における側部（２３ｂ）は複数のスリットとスリット延長部とに嵌まって係止される。図５参照。
【００２２】
［請求項６の発明］
各押込み係止孔に排泄物収納袋の一部を押し込む際には、排泄物収納袋の当該一部を透孔上に位置させた状態で指先により当該一部を上から下向き突縁内に押し込めばよい。しかるときは、排泄物収納袋の当該一部（２３）における中央部（２３ａ）は該下向き突縁より下方に突出し、当該一部における側部（２３ｂ）は、弾性片の両側部とスリットの対応側部との間の一対の隙間のうちの一方の隙間と該隙間に連なる延長透孔部とに嵌まって係止される。図１１参照。このとき、排泄物収納袋の当該一部における側部は弾性片の弾性により好ましく係止されるが、排泄物収納袋を便器から引き上げる際には、排泄物収納袋の当該一部における側部は弾性片の弾性に抗して当該隙間から引き抜かれる。
【００２３】
［請求項７の発明］
下向き突縁の内側に上下方向に形成された各案内部は中央を内方に略円弧状に膨出させているため、排泄物収納袋の一部を指先により上から下向き突縁内に押し込む際に、指先を適度に押圧することにより、排泄物収納袋の当該一部の側部を弾性片の側部とスリットの対応側部との間の前記隙間と該隙間に連なる延長透孔部とに円滑に押し込む。
【発明の効果】
【００２４】
本発明によれば、排泄物収納袋を便器上に容易且つ確実に取り付けることができる。即ち、排泄物収納袋を便器上に取り付ける際には、複数個の押込み係止孔に排泄物収納袋の一部をそれぞれ押し込んで係止すればよい。このときは、排泄物収納袋は押し込み係止孔に係止されているため、簡易トイレの通常の使用中に該排泄物収納袋が便器から外れることはない。また、各押込み係止孔には排泄物収納袋の一部を押し込んで係止したに過ぎないため、排泄物収納袋を便器から離す方向に引いたときには、排泄物収納袋は各押込み係止孔から容易に外れる。更に、簡易トイレの使用後、便、尿を収納する排泄物収納袋は、結着用紐により開口部を容易に結着して密封することができる。
【発明を実施するための最良の形態】
【００２５】
図１、図２は、本発明の簡易トイレを椅子に組み込んだ事例を示すものである。この事例においては、椅子１の座部３に透孔５を形成し、該透孔５に便器受け７を介して便器９を嵌着している。符号１１に示すものは便蓋、符号１３に示すものは便座である。
【００２６】
便器９上には排泄物収納袋１５を取り外し自在に配設する。排泄物収納袋１５は例えばビニール樹脂により形成する。
【００２７】
排泄物収納袋１５の外面には該排泄物収納袋１５を結着するための結着用紐１７を備えさせる。即ち、一例として、排泄物収納袋１５の外面に挿通孔１９を備えさせ、該挿通孔１９に結着用紐１７を挿通させる。図１３参照。
【００２８】
便器９の上縁９ａには排泄物収納袋１５の一部を押し込んで係止するための押込み係止孔２１を複数個形成し、該押込み係止孔２１に排泄物収納袋１５の一部２３をそれぞれ押し込んで係止することにより該排泄物収納袋１５を便器９上に取り付けるようになす。
【００２９】
各押し込み係止孔２１は、便器９の上縁９ａに直接形成してもよいが、該便器９とは別体の上縁構成部材２５を便器９の上縁９ａに嵌着し、該上縁構成部材２５に各押込み係止孔２１を形成してもよい。
【００３０】
また、各押し込み係止孔２１は、便器９を支持する便器受け７に形成してもよい。便器受け７は、椅子１における座部３の透孔５に固定されている。
【００３１】
更に、各押し込み係止孔２１は、便器９を取り付けた椅子１の座部３に形成しても差し支えない。
【００３２】
図３〜図５において、符号２１ａに示すものは押し込み係止孔２１の一例である。押込み係止孔２１ａは、便器９の上縁９ａ、上縁構成部材２５、便器受け７又は椅子１の座部３に透孔３１を形成し、該透孔３１の周縁を上方に突出させて上向き突縁３３を形成し、
該上向き突縁３３には該上向き突縁３３を内外に貫く複数のスリット３５を該上向き突縁３３の上縁３３ａより上下方向に形成し、各スリット３５の下縁を該透孔３１から外方に延設してスリット延長部３７を形成してなるものとする。
【００３３】
図６〜図１１において、符号２１ｂに示すものは押し込み係止孔２１の一例である。押込み係止孔２１ｂは、便器９の上縁９ａ、上縁構成部材２５、便器受け７又は椅子１の座部３に透孔４１を形成し、該透孔４１の周縁を下方に突出させて下向き突縁４３を形成し、
該下向き突縁４３には該下向き突縁４３を内外に貫く複数のスリット４５を該下向き突縁４３の上縁４３ａより上下方向に形成し、各スリット４５内には該スリット４５の下部４５ａより上方に向けて弾性片４７を突設し、該弾性片４７は該弾性片４７の両側部４７ａ、４７ｂと該スリット４５の対応側部４５ｂ、４５ｃとの間に一対の上下方向の隙間４９ａ、４９ｂが生ずるように配設し、該透孔４１の周縁には各スリット４５における一対の隙間４９ａ、４９ｂのうちの一方の隙間４９ａに連なる延長透孔部５１を形成する。当該一方の隙間４９ａの上端は、弾性片４７における対応側部４７ａの上端とスリット４５における対応側部４５ｂの上端とにそれぞれ丸み４７ａ’、４５ｂ’を形成することにより、押込み係止孔２１ｂに排泄物収納袋１５の一部２３を押し込む際に、当該一部２３における側部２３ｂが当該一方の隙間４９ａと延長透孔部５１とに円滑に嵌まるようにすることが望ましい。
【００３４】
前記下向き突縁４３の内側には中央を内方に略円弧状に膨出させた複数の案内部５３を上下方向に形成する。
【００３５】
排泄物収納袋１５を便器９上に配設する際には、図１２に示すように、該排泄物収納袋１５内に廃棄処分を容易ならしめるようにした排泄物処理用の粒状体５５を予め収納することが望ましい。粒状体５５としては、例えばパルプを主原料とし、吸水性、脱臭性、殺菌性等を備えた排泄物処理用材を用いる。なお、このような粒状体５５に代えて、紙くず、オガクズ等を排泄物収納袋１５内に収納してもよい。
【００３６】
なお、便、尿を収納する排泄物収納袋１５の開口部を結着して密封する際には、例えば、まず図１４に示すように、結着用紐１７を締め付けて排泄物収納袋１５の開口部を閉じた後、図１５に示すように、排泄物収納袋１５の上部１５ａを下部１５ｂに折り重ね、結着用紐１７により上部１５ａと下部５ｂとを結着する。図５、図１１において、符号５７に示すものは人の指先である。
【図面の簡単な説明】
【００３７】
【図１】簡易トイレを椅子に組み込んだ事例を示す斜視図である。
【図２】同上の分解斜視図である。
【図３】上縁構成部材の一例を示す平面図である。
【図４】押込み係止孔の一例を示す斜視図である。
【図５】同上押込み係止孔の断面図である。
【図６】上縁構成部材の別の一例を示す平面図である。
【図７】押込み係止孔の別の一例を示す平面図である。
【図８】図７のＶＩＩＩ−ＶＩＩＩ線における断面図である。
【図９】図８のＩＸ−ＩＸ線における断面図である。
【図１０】図７のＸ−Ｘ線における断面図である。
【図１１】図７のＸＩ−ＸＩ線における断面図である。
【図１２】便器上に排泄物収納袋を取り付けた状態を示す断面図である。
【図１３】排泄物収納袋の正面図である。
【図１４】排泄物収納袋の結着用紐を締め付けた状態を示す斜視図である。
【図１５】排泄物収納袋の上部を下部に折り重ね、結着用紐により上部と下部とを結着した状態を示す斜視図である。
【符号の説明】
【００３８】
１    椅子
３    座部
５    透孔
７    便器受け
９    便器
９ａ  上縁
１１  便蓋
１３  便座
１５  排泄物収納袋
１５ａ  上部
１５ｂ  下部
１７  結着用紐
１９  挿通孔
２１  押込み係止孔
２１ａ  押込み係止孔
２１ｂ  押込み係止孔
２３  一部
２３ａ  中央部
２３ｂ  側部
２５  上縁構成部材
３１  透孔
３３  上向き突縁
３３ａ  上縁
３５  スリット
３７  スリット延長部
４１  透孔
４３  下向き突縁
４３ａ  上縁
４５  スリット
４５ａ  下部
４５ｂ  側部
４５ｃ  側部
４５ｂ’  丸み
４７  弾性片
４７ａ  側部
４７ａ’  丸み
４７ｂ  側部
４９ａ  隙間
４９ｂ  隙間
５１  延長透孔部
５３  案内部
５５  粒状体
５７  指先
【図１】
2005118178.tif 000003
【図２】
2005118178.tif 000004
【図３】
2005118178.tif 000005
【図４】
2005118178.tif 000006
【図５】
2005118178.tif 000007
【図６】
2005118178.tif 000008
【図７】
2005118178.tif 000009
【図８】
2005118178.tif 000010
【図９】
2005118178.tif 000011
【図１０】
2005118178.tif 000012
【図１１】
2005118178.tif 000013
【図１２】
2005118178.tif 000014
【図１３】
2005118178.tif 000015
【図１４】
2005118178.tif 000016
【図１５】
2005118178.tif 000017